(57)【要約】【課題】軽量で防音性、断熱性、および防水性に優れ、組み立てや解体が容易な建築物用部材を提供する。【解決手段】建築物用部材である壁材３０は、基材３２と、被覆層３４を備えている。基材３２は板形状を有している。基材３２は、吸湿材層３５を段ボール層３６で挟んだ構造を有している。被覆層３４は、基材３２の一方の面３２ａに設けられている。被覆層３４は、強化繊維と、合成樹脂とを含有している。基材３２の一方の面３２ａと反対側の他方の面３２ｂには和紙３８が設けられている。和紙３８には複数の通気穴３８ａが形成されている。【選択図】図３
0003203947.tif 000002
【実用新案登録請求の範囲】
【請求項１】
段ボール層を含む基材と、
前記基材の表面の少なくとも一部に設けられ、合成樹脂を含有する被覆層と、
を有する建築物用部材。
【請求項２】
請求項１において、
前記被覆層が強化繊維をさらに含有する建築物用部材。
【請求項３】
請求項１または２において、
前記基材が板形状であり、
前記基材の一方の面に前記被覆層が設けられ、
前記一方の面と反対側の他方の面に合成樹脂層が形成されている建築物用部材。
【請求項４】
請求項１または２において、
前記基材が板形状であるとともに、断熱材層を段ボール層で挟んだ構造を有し、
前記基材の一方の面に前記被覆層が設けられ、
前記一方の面と反対側の他方の面に和紙が設けられている建築物用部材。
【請求項５】
請求項１または２において、
前記基材が板形状であるとともに、防音材層を段ボール層で挟んだ構造を有し、
前記基材の一方の面に前記被覆層が設けられ、
前記一方の面と反対側の他方の面に和紙が設けられている建築物用部材。
【請求項６】
請求項１または２において、
前記基材が板形状であるとともに、吸湿材層を段ボール層で挟んだ構造を有し、
前記基材の一方の面に前記被覆層が設けられ、
前記一方の面と反対側の他方の面に和紙が設けられ、
前記和紙に複数の通気穴が形成されている建築物用部材。
【請求項７】
請求項１または２において、
前記基材が板形状であるとともに、断熱材層と吸湿材層の積層を段ボール層で挟んだ構造を有し、
前記基材の前記断熱材層側の面に前記被覆層が設けられ、
前記基材の前記吸湿材層側の面に和紙が設けられ、
前記和紙に複数の通気穴が形成されている建築物用部材。
【考案の詳細な説明】
【技術分野】
【０００１】
本考案は、防音性、断熱性、および防水性に優れた建築物用部材に関するものである。
【背景技術】
【０００２】
屋内建築物を構成する壁材や屋根材などの建築物用部材として、段ボールが使用されている。段ボールは、軽量で防音性および断熱性があるものの防水性がない。このため、段ボールを主体とした防水性に優れた建築物用部材の出現が望まれている。
【考案の概要】
【考案が解決しようとする課題】
【０００３】
本考案はこのような事情に鑑みてなされたものであり、軽量で防音性、断熱性、および防水性に優れ、組み立てや解体が容易な建築物用部材を提供することを目的とする。
【課題を解決するための手段】
【０００４】
本考案の建築物用部材は、段ボール層を含む基材と、基材の表面の少なくとも一部に設けられ、合成樹脂を含有する被覆層とを有している。本考案の建築物用部材において、被覆層が強化繊維をさらに含有していてもよい。また、本考案の建築物用部材において、基材が板形状であり、基材の一方の面に被覆層が設けられ、一方の面と反対側の他方の面に合成樹脂層が形成されていてもよい。
【０００５】
また、本考案の建築物用部材において、基材が板形状であるとともに、断熱材層を段ボール層で挟んだ構造を有し、基材の一方の面に被覆層が設けられ、一方の面と反対側の他方の面に和紙が設けられていてもよい。さらに、本考案の建築物用部材において、基材が板形状であるとともに、防音材層を段ボール層で挟んだ構造を有し、基材の一方の面に被覆層が設けられ、一方の面と反対側の他方の面に和紙が設けられていてもよい。
【０００６】
また、本考案の建築物用部材において、基材が板形状であるとともに、吸湿材層を段ボール層で挟んだ構造を有し、基材の一方の面に被覆層が設けられ、一方の面と反対側の他方の面に和紙が設けられ、和紙に複数の通気穴が形成されていてもよい。また、本考案の建築物用部材において、基材が板形状であるとともに、断熱材層と吸湿材層の積層を段ボール層で挟んだ構造を有し、基材の断熱材層側の面に被覆層が設けられ、基材の吸湿材層側の面に和紙が設けられ、和紙に複数の通気穴が形成されていてもよい。
【考案の効果】
【０００７】
本考案によれば、軽量で防音性、断熱性、および防水性に優れ、組み立てや解体が容易な建築物用部材が得られる。
【図面の簡単な説明】
【０００８】
【図１】本考案の第一の実施形態に係る壁材の断面図。
【図２】本考案の第二の実施形態に係る壁材の断面図。
【図３】本考案の第三の実施形態に係る壁材の断面図。
【図４】本考案の第四の実施形態に係る壁材の断面図。
【図５】本考案の第一の実施形態に係る壁材の変形例の壁材の斜視図（ａ）と断面図（ｂ）。
【図６】本考案の建築物用部材を用いた建築物の断面図。
【０００９】
以下、本考案の建築物用部材について、図面を参照しながら各実施形態に基づいて説明する。なお、図面は、建築物用部材、建築物用部材の構成物、および建築物用部材の周辺物を模式的に表したものであり、これらの実物の寸法および寸法比は、図面上の寸法および寸法比と必ずしも一致していない。また、重複説明は適宜省略し、同一部材には同一符号を付与することがある。
【００１０】
図１は、本考案の第一の実施形態に係る建築物用部材である壁材１０の断面模式図である。本考案の建築物用部材としては、壁材１０のほか、屋根材や柱材等が挙げられる。壁材１０は、基材１２と、被覆層１４とを備えている。基材１２は段ボール層１６を含む。段ボール層１６は段ボールからなる。段ボールは、波状に成形した中芯紙の片面または両面に、平らな表板紙である段ボールライナーを設けた通常の板状の段ボールや、波形または蜂の巣状に成形した紙を、断面が波形または蜂の巣状となるように切断した部材の片面または両面に、段ボールライナーを設けた強度に優れる板状の段ボール（図５参照）などがある。
【００１１】
本実施形態では段ボールから構成される段ボール層１６が３つ設けられているが、段ボール層１６の数は特に制限がない。また、基材１２は板形状を有している。なお、建築物用部材の基材は、板形状以外、例えば円柱形状や角柱形状などであってもよい。本実施形態では、壁材１０を構成する段ボールの波形が上下方向に凹凸を繰り返しているが、水平方向に凹凸を繰り返してもよい。波形が水平方向に凹凸を繰り返している段ボールは、上下方向の力に耐久性がある。また、波形が水平方向に凹凸を繰り返している段ボールは、上下方向に通気性がある。建築物用部材の用途に応じて、段ボールの波形の向きが調整できる。
【００１２】
被覆層１４は、基材１２の表面の少なくとも一部、具体的には一方の面１２ａに設けられている。被覆層１４は合成樹脂を含有する。基材１２の強度を向上させるために、被覆層１４が強化繊維をさらに含有していてもよい。この場合、被覆層１４は、例えば、強化繊維（人工クモの糸）の織布または不織布を基材１２の一方の面１２ａに接触させ、それを覆うように合成樹脂を被覆して作製する。強化繊維は、基材１２を補強する、すなわち基材１２の強度を向上させるための繊維であり、例えば、炭素繊維、ナイロン繊維、ポリエステル繊維、アクリル繊維等の合成繊維などが挙げられる。なお、高強度の基材１２を用いる場合には、強化繊維がなくてもよい。
【００１３】
合成樹脂としては、例えば、アクリル樹脂、フェノール樹脂、エポキシ樹脂、ポリカーボネート、ポリテトラフルオロエチレン、またはポリエステルなどが挙げられる。防水機能を有する合成樹脂を用いれば、壁材１０は屋外でも使用できる。また、撥水機能や遮熱機能などを有する合成樹脂も使用できるまた、基材１２の一方の面１２ａと反対側の他方の面１２ｂには、合成樹脂層１８が形成されている。合成樹脂層１８を構成する合成樹脂は、被覆層１４を構成する合成樹脂と同じものが使用できる。被覆層１４に強化繊維が含まれているので、壁材１０の強度が高い。
【００１４】
図２は、本考案の第二の実施形態に係る建築物用部材である壁材２０の断面模式図である。壁材２０は、基材２２と、被覆層２４を備えている。基材２２は板形状を有している。基材２２は、断熱材層２５を段ボール層２６で挟んだ構造である。断熱材層２５は、例えば、８０倍発泡スチロールから構成されている。本実施形態では、基材２２が断熱材層２５を段ボール層２６で挟んだ構造を有しているが、断熱材層２５に代えて、防音材層や強化材層などを用いてもよい。被覆層２４は基材２２の一方の面２２ａに設けられている。被覆層２４は、第一の実施形態と同様に、強化繊維と、合成樹脂とを含有する。基材２２の一方の面２２ａと反対側の他方の面２２ｂには、和紙２８が設けられている。このため、基材２２の他方の面２２ｂで湿気が調整できる。
【００１５】
図３は、本考案の第三の実施形態に係る建築物用部材である壁材３０の断面模式図である。壁材３０は、基材３２と、被覆層３４を備えている。基材３２は板形状を有している。基材３２は、吸湿材層３５を段ボール層３６で挟んだ構造を有している。吸湿材層３５は、例えば、高吸水・高吸湿の繊維から構成されている。被覆層３４は基材３２の一方の面３２ａに設けられている。被覆層３４は、第一の実施形態と同様に、強化繊維と、合成樹脂とを含有する。基材３２の一方の面３２ａと反対側の他方の面３２ｂには、和紙３８が設けられている。さらに、和紙３８に複数の通気穴３８ａが形成されている。このため、壁材３０は吸湿性に優れている。
【００１６】
図４は、本考案の第四の実施形態に係る建築物用部材である壁材４０の断面図である。壁材４０は、基材４２と、被覆層４４を備えている。基材４２は板形状を有している。基材４２は、断熱材層４５と吸湿材層４７の積層を段ボール層４６で挟んだ構造を有している。断熱材層４５、段ボール層４６、および吸湿材層４７は、第一から第三の実施形態と同様である。被覆層４４は、基材４２の断熱材層４５側の面４２ａに設けられている。被覆層４４は、第一の実施形態と同様に、強化繊維と、合成樹脂とを含有する。基材４２の吸湿材層側の面４２ｂには和紙４８が設けられている。さらに、和紙４８に複数の通気穴４８ａが形成されている。このため、壁材４０は断熱性と吸湿性に優れている。
【００１７】
図５は、本考案の第一の実施形態に係る壁材の変形例を示しており、図５（ａ）が斜視図、図５（ｂ）が断面図である。本変形例の壁材５０は、図５（ａ）に示すように、基材５２と、被覆層５４とを備えている。基材１２は段ボール層５６を含む。段ボール層５６は段ボールからなる。段ボールは、波形に成形した紙を、断面が波形となるように切断した部材の両面に、段ボールライナー５７を設けた強度に優れる板状部材である。被覆層５４は、基材５２の一方の面に設けられている。基材５２の他方の面には、合成樹脂層５８が形成されている。
【００１８】
図５（ｂ）に示すように、段ボール層５６に代えて、段ボール層５９を用いてもよい。段ボール層５９は段ボールからなり、この段ボールは、蜂の巣状に成形した紙を、断面が蜂の巣状となるように切断した部材の両面に、段ボールライナー（不図示）を設けた強度に優れる板状部材である。本変形例のような段ボールを使用することによって、さらに高強度の建築物用部材が得られる。
【００１９】
図６は、本考案の建築物用部材を用いた建築物６０の断面模式図である。建築物６０は、例えば東屋である。建築物６０は、壁６２と、屋根６４と、支柱６６と、テーブル６８とを備えている。テーブル６８は、天板７０と、側壁７２とを備えており、天板７０と側壁７２で囲まれた空間には、冷却源７４が設けられている。壁６２、屋根６４、支柱６６、および側壁７２に、本考案の建築物用部材が使用できる。冷却源７４は尿素と水を含み、これらが混合したときに発生する冷気が、換気扇７６を通過して、支柱６６の開口部６６ａから放出される。このようにして、自然の素材を生かした快適な建築物が得られる。冷却源７４としては、上記以外の例えば、地下冷気であってもよいし、氷や冷房装置であってもよい。
【００２０】
本考案の建築物用部材は、上記のような構成をしているため、軽量で防音性、断熱性、および防水性に優れ、組み立てや解体が容易な建築物用部としとして使用できる。
【符号の説明】
【００２１】
１０，２０，３０，４０，５０    壁材
１２，２２，３２，４２，５２    基材
１４，２４，３４，４４，５４    被覆層
１６，２６，３６，４６，５６，５９    段ボール層
５７    段ボールライナー
１８，５８    合成樹脂層
２５，４５    断熱材層
２８，３８，４８    和紙
３５，４７    吸湿材層
６０    建築物
６２    壁
６４    屋根
６６    支柱
６８    テーブル
７０    天板
７２    側壁
７４    冷却源
７６    換気扇
【図１】
0003203947.tif 000003
【図２】
0003203947.tif 000004
【図３】
0003203947.tif 000005
【図４】
0003203947.tif 000006
【図５】
0003203947.tif 000007
【図６】
0003203947.tif 000008